(57)【要約】【課題】木造とＲＣ造の建造物を組み合わせて構築するに当たり、工期が短縮できる構築方法を開発すること。【解決手段】木造構造部分とＲＣ構造部分を一体化した建築物の施工方法において、木造構築部分の躯体工事を先行して施工し、ＲＣ構造部分の躯体を後行して施工する構築方法であって、木造躯体とＲＣ躯体の接合部分において、木造躯体に設けたアンカーをコンクリート打設空間内に配置した後に、該打設空間内にコンクリートを打設、硬化して、木造構造とＲＣ構造との混構造建築物を構築することを特徴とする木造・ＲＣ造混構造建築物の構築方法。【選択図】図８
2019100057.tif 000002
【特許請求の範囲】
【請求項１】
木造構造部分とＲＣ構造部分を一体化した建築物の施工方法において、
木造構築部分の躯体工事を先行して施工し、ＲＣ構造部分の躯体を後行して施工する構築方法であって、
木造躯体とＲＣ躯体の接合部分において、木造躯体に設けたアンカーをコンクリート打設空間内に配置した後に、該打設空間内にコンクリートを打設、硬化して、木造構造とＲＣ構造との混構造建築物を構築することを特徴とする木造・ＲＣ造混構造建築物の構築方法。
【請求項２】
木造躯体の接合部分が、床あるいは床と梁であることを特徴とする請求項１に記載の木造・ＲＣ造混構造建築物の構築方法。
【請求項３】
木造躯体の接合部分が柱基端部であり、ＲＣ躯体の接合部分がＲＣ基礎あるいはＲＣ基礎梁であることを特徴とする請求項１又は２に記載の木造・ＲＣ造混構造建築物の構築方法。
【請求項４】
木造構築部分の床に、ＣＬＴ（Cross Laminated Timber）が使用されていることを特徴とする請求項１〜３のいずれかに記載の木造・ＲＣ造混構造建築物の構築方法。
【請求項５】
ＲＣ構造部分が建築物の内部側に配置されていることを特徴とする請求項１〜４のいずれかに記載の木造・ＲＣ造混構造建築物の構築方法。
【請求項６】
ＲＣ構造部分の接合部分を構築する型枠材としてＣＬＴ（Cross Laminated Timber）を使用することを特徴とする請求項１〜５のいずれかに記載の木造・ＲＣ造混構造建築物の構築方法。
【請求項７】
ＲＣ構造部分を構築する型枠材が残置型枠であることを特徴とする請求項６に記載の木造・ＲＣ造混構造建築物の構築方法。
【請求項８】
ＲＣ構造部分を構築する型枠材が木造部分を架設するときの仮設耐震壁とすることを特徴とする請求項６又は７記載の木造・ＲＣ造混構造建築物の構築方法。
【請求項９】
コンクリート打設空間内に配置されるアンカーを備えた木造躯体部分は、型枠を設けずに直接コンクリートに接触されていることを特徴とする請求項１〜８のいずれかに記載の木造・ＲＣ造混構造建築物の構築方法。
【請求項１０】
木造構造部分とＲＣ構造部分を一体化した木造・ＲＣ造混構造建築物であって、垂直方向において木造構築部分とＲＣ構造部分が直接接触している接合部分を備えていることを特徴とする木造・ＲＣ造混構造建築物。
【請求項１１】
木造構造部分を構成する床材が、ＣＬＴであることを特徴とする請求項１０記載の木造・ＲＣ造混構造建築物。
【発明の詳細な説明】
【技術分野】
【０００１】
本発明は、木造とＲＣ造（鉄筋コンクリート造）構造を複合した建築物を構築する技術に関する。
【背景技術】
【０００２】
木造の構造物とＲＣ造構造物をつなぎ合わせる建築物は、基礎コンクリートなどに見られるように、ＲＣ部分を先行して構築し、その後に木造部分を構築するのが一般的である。
例えば、特許文献１（特許第２６７６１２８号公報）には、建物基礎上に一部或いは全部がＲＣ造建造物と成る１階部を構築すると共に、ＲＣ造建造物の上方のコンクリートスラブ上に２階部である木造建造物を構築する建築物が開示されている。コンクリート構造物は、コンクリートを打設して、固まるまでの期間が必要であり、その期間が経過した後に次の工程進むことになる。
２０１０年施行の「公共建築物等における木材の利用の促進に関する法律」を契機に、近年、木材利用向上の期待が高まっている。直交集成板（ＣＬＴ：Cross Laminated Timber）の日本農林規格や設計法等に関する告示も出されて、寸法安定性、高強度、断熱性などが改善されたＣＬＴ利用による、オフィスビル・商業施設等「非住宅」と呼ばれる建物の木造化・木質化が注目されている。ＣＬＴ（Cross Laminated Timber）は、海外では、欧州を中心に利用が増加していて、中・大規模施設、６〜１０階建の集合住宅まで、様々な建築物が建てられている。一方、日本では、地震対策なども含めて大規模建築物への応用が検討されている最中である。
ＣＬＴはCross Laminated Timber（クロス・ラミネイティド・ティンバー）の略で、板の層を各層で互いに直交するように積層接着した厚型パネルである。平成２５年１２月２０日に日本農林規格（ＪＡＳ）として、直交集成板の名称で制定され、平成２６年１月１９日に施行された。従来の集成材は、張り合わせる板の繊維方向が並行方向に張り合わせるのに対して、ＣＬＴは、繊維方向が直交するように交互に張り合わせたもので相違する。ＣＬＴは、企画が制定されて間もなく、活用が検討されている。
木材は設計にしたがって、工場でプレカットされて、現場で組み立てられるので、現場施工は短期間である。また、木材は、軽量で断熱性も高く、１０ｃｍ厚のＣＬＴは１．２ｍ厚のコンクリート程度の断熱性能がある。火災箇所とＣＬＴで遮断された部屋では、殆ど温度変化を感じない程度になる。そして、ＣＬＴは、コンクリートの１／４〜１／５程度の重量であるので、地震対応にも有効である。ＣＬＴは、例えば、厚さ３ｃｍの板材を積層して製造される。例えば、厚み２１ｃｍ、幅３ｍ、長さ８ｍ程度の材を使用する。ＣＬＴは、３ｃｍを単位層として、３、５、７、９層が一般的である。
柱や梁とＣＬＴを床、壁に使用する軸組と、ＣＬＴを構造材として、柱や梁を使用せずに壁と床ＣＬＴを用いる設計もできる。
【先行技術文献】
【特許文献】
【０００３】
【特許文献１】特許第２６７６１２８号公報
【発明の概要】
【発明が解決しようとする課題】
【０００４】
本発明は、木造とＲＣ造の建造物を組み合わせて構築するに当たり、工期が短縮できる構築方法を開発することを目的とする。
【課題を解決するための手段】
【０００５】
本発明は、木造を先行して構築し、ＲＣ造を後から構築することにより、コンクリートの打設・養生期間を待つことなく、木造を構築することができ、全建築工程を短縮する木造・ＲＣ造混構造建築物の構築方法を提供する。
本発明の主な構成は次のとおりである。
１．木造構造部分とＲＣ構造部分を一体化した建築物の施工方法において、
木造構築部分の躯体工事を先行して施工し、ＲＣ構造部分の躯体を後行して施工する構築方法であって、
木造躯体とＲＣ躯体の接合部分において、木造躯体に設けたアンカーをコンクリート打設空間内に配置した後に、該打設空間内にコンクリートを打設、硬化して、木造構造とＲＣ構造との混構造建築物を構築することを特徴とする木造・ＲＣ造混構造建築物の構築方法。
２．木造躯体の接合部分が、床あるいは床と梁であることを特徴とする１．に記載の木造・ＲＣ造混構造建築物の構築方法。
３．木造躯体の接合部分が柱基端部であり、ＲＣ躯体の接合部分がＲＣ基礎あるいはＲＣ基礎梁であることを特徴とする１．又は２．に記載の木造・ＲＣ造混構造建築物の構築方法。
３−２  木造構築部分の躯体工事を先行して施工し、ＲＣ構造部分の躯体を後行して施工する構築方法を適用する部分が、木造躯体とＲＣ躯体の接合部の周囲であることを特徴する１．〜３．のいずれかに記載の木造・ＲＣ造混構造建築物の構築方法。
３−３  建築物が多層構成であることを特徴とする１．〜３．のいずれかに記載の木造・ＲＣ造混構造建築物の構築方法。
３−４  木造構築部分の躯体工事を先行する施工とＲＣ構造部分の躯体を後行する施工が一層又は／及び複層毎に繰り返して行われることを特徴とする１．〜３．のいずれかに記載の木造・ＲＣ造混構造建築物の構築方法。
３−５  木造構造部分は、柱、梁、床が木質材であることを特徴する１．〜３．のいずれかに記載の木造・ＲＣ造混構造建築物の構築方法。
４．木造構築部分の床に、ＣＬＴ（Cross Laminated Timber）が使用されていることを特徴する１．〜３．のいずれかに記載の木造・ＲＣ造混構造建築物の構築方法。
５．ＲＣ構造部分が建築物の内部側に配置されていることを特徴とする１．〜４．のいずれかに記載の木造・ＲＣ造混構造建築物の構築方法。
５−２  ＲＣ構造部分が建築物のコアであって、１乃至複数配置されていることを特徴とする１．〜５．のいずれかに記載の木造・ＲＣ造混構造建築物の構築方法。
６．ＲＣ構造部分の接合部分を構築する型枠材としてＣＬＴ（Cross Laminated Timber）を使用することを特徴とする１．〜５．のいずれかに記載の木造・ＲＣ造混構造建築物の構築方法。
７．ＲＣ構造部分を構築する型枠材が残置型枠であることを特徴とする６．に記載の木造・ＲＣ造混構造建築物の構築方法。
８．ＲＣ構造部分を構築する型枠材が木造部分を架設するときの仮設耐震壁とすることを特徴とする６．又は７．記載の木造・ＲＣ造混構造建築物の構築方法。
８−２  木造躯体とＲＣ躯体の接合部分の構築において、木造躯体がＲＣ躯体打設空間に直接面していることを特徴とする１．〜８．のいずれかに記載の木造・ＲＣ造混構造建築物の構築方法。
９．コンクリート打設空間内に配置されるアンカーを備えた木造躯体部分は、型枠を設けずに直接コンクリートに接触されていることを特徴とする１．〜８．のいずれかに記載の木造・ＲＣ造混構造建築物の構築方法。
【０００６】
１０．木造構造部分とＲＣ構造部分を一体化した木造・ＲＣ造混構造建築物であって、垂直方向において木造構築部分とＲＣ構造部分が直接接触している接合部分を備えていることを特徴とする木造・ＲＣ造混構造建築物。
１１．木造構造部分を構成する床材が、ＣＬＴであることを特徴とする１０．記載の木造・ＲＣ造混構造建築物。
【発明の効果】
【０００７】
１．本発明は、木造構造部分とＲＣ構造部分を一体化した木造・ＲＣ造混構造建築物の構築において、少なくとも木造とＲＣ造の接合部分において、木造部分を先行して構築することにより、ＲＣ造を構築する際のコンクリートの打設・養生期間を待つことなく施工を進めることができるので、その分の工期が短縮できる構築方法である。
木造部分には、梁、柱、壁、床などの構造材に木質系材料を使用することができる。
木材は、コンクリートよりも、軽量で断熱性も高く、ＣＬＴ等の耐力が大きな材料を使用することにより、軽量化した建物を構築することができる。軽量化された分、地震対策も容易になる。そして、再生可能材料であるので二酸化炭素排出量も極めて小さい材料である。
本発明の適用は、多層階の建築物に適用でき、特に中層階に適している。施工方法は、階層毎に行うこともでき、あるいは、数層階毎に行うこともできる。
木造部分の構築材料は、耐火処理や難燃化処理を施す。
２．木造躯体とＲＣ躯体の接合部分において、木造躯体に設けたアンカーをコンクリート打設空間内に配置した後に、該コンクリート打設空間内にコンクリートを打設、硬化して、木造構造とＲＣ構造との混構造建築物を構築することにより、木造側からセットしたアンカーなりにコンクリートが硬化するので、通常のやりかたによる硬化したコンクリートに設けられたアンカーに対して木造側の接合位置を合わせる作業手間が必要ない。
アンカー手段は、ボルト、板状金物、ＲＣ側に設けた顎上の受、梁をＲＣ造側へ延長（貫通）させる構造、床を櫛状にしてＲＣ側へ延長させる構造など各種の手段がある。
木造、ＲＣ造の許容誤差、施工精度によって、木造とＲＣの接合の際の位置合わせは、手間がかかるが、本発明では、木造側のアンカーだけで決めることができる。
３．木造とＲＣ造の接合は、対向する鉛直方向と上下に対向する水平方向がある。すなわち、主な接合部分は、木造躯体の接合部分が、床、あるいは床と梁とし、ＲＣ造はコアの壁、柱、床、梁とすることで、鉛直方向に対向した接合構造とする。また、木造側の接合部分を柱基端部として、ＲＣ基礎や低層ＲＣ層に接合することにより、上下方向の接合構造とする。
さらに、木造部分の接合部分は、アンカーして接合強度が確保できる部分であれば、利用できるので、床や梁に限られず、柱材、壁材、屋根材なども利用することが可能である。
４．先行する木造部分は、ＲＣ造との接合部分として進め、拡張施工する木造の他の部分は、接合部分の施行後に進めることができる。強度の高いＲＣ部分を拡張する木造部分に対する仮設支持材とすることができるので、安全性が向上する。
５．木造構築部分の床に、厚みと強度があるＣＬＴ（Cross Laminated Timber）を使用することにより、小梁などをたくさん使用することなく、幅数メートル、長さ１０メートル程度の床ユニットを１枚のＣＬＴでまかなうことができ、加工構造が簡素化し、施工手間も少なくなる。強度と厚みのあるＣＬＴを床材に使用することにより、床レベルでＲＣ側の床と接合することができるので、長いアンカー材を使用できることとなって、床材接合であっても、接合強度を向上させることができる。特に、ＲＣ部分がエレベーターホールや階段室などの、ＲＣ柱の無い壁構造となる場合は、壁の厚みでは、アンカーボルトを定着させる厚みが不足する場合があるが、床レベルは、木造もＲＣ造も同じであるので、両者を利用すると、アンカー定着に十分な距離が確保できる。
ＲＣ造部分にＲＣ柱を設けた場合は、木造部分の床材に限らず梁からアンカーを設置することができる。木製の梁からアンカーを出す場合は、梁背の分上下にアンカーを打つことができる。
６．ＲＣ造部分と木造部分の配置関係は、特に規定されないが、主としてＲＣ造は、コアとしての機能に優れ、木造部分は事務室や居住空間として適している。コアとして、中間部や中央部にＲＣ造を配置することが適しており、強度をＲＣに期待する場合、平面配置及び上下貫通配置においても、中間あるいは中央部にＲＣ造を配置することが適している。
７．ＲＣ構造部分の接合部分を構築する型枠材としてコンクリート用合板よりも強度の高いＣＬＴを使用することにより、型枠支保工が簡略化すると供に、片持ち状態の接合部の木造架構の開放端側を支持する仮設材としても機能させることができ、仮設耐震壁ともなる。さらに、ＣＬＴ型枠材を脱型せずにそのまま残して、壁材や仕上げ壁材として残置することもできる。特に、コンクリート材は断熱性が低いので、低温や高温となるが断熱性に優れたＣＬＴを残すことにより、居室や事務室側の空調負荷を小さくでき、居住環境も快適に保つことができる。
８．木造側からアンカーを出して、コンクリートを打設するので、木造側の床あるいは梁等の木造躯体がコンクリート打設空間に直接面する構成である。そのため床や梁は打設コンクリートと直接接触することとなる。特に、梁に比べて薄い床部分に接合用アンカーを設けることは、木造側の床材にアンカーを固設したからこそ可能となる。仮に、ＲＣ側にアンカーを固設して、木造側で調整するとしたら、床材の厚みでは調整できない恐れがある。したがって、アンカーを木造側に固設したからこそ、木造部分がＲＣ部分に直接接触している構造とすることができる。特に、床材部分でのアンカー接合構造は本発明で特異的に実現できたものである。
９．本発明の木造・ＲＣ造混構造建築物は、木造構築部分とＲＣ構造部分が直接接触している接合部分を備えている。特に、ＣＬＴとＲＣ造側の床材が接合アンカーで接合した構造の木造・ＲＣ造混構造建築物である。
【図面の簡単な説明】
【０００８】
【図１】木造・ＲＣ造混構造建築物の架構モデルを示す図
【図２】木造・ＲＣ造混構造建築物の平面プランの例を示す図
【図３】木造・ＲＣ造混構造建築物の床パネルの配置例を示す図
【図４】木造とＲＣコア部の構造立面の例を示す図
【図５】床ユニット部の木造とＲＣ造接合部構造の平面の例を示す図
【図６】木造とＲＣ造接合部構造の立面の例を示す図
【図７】木造部の柱梁造接合部構造の立面の例を示す図
【図８】施工工程概略（木造部先行施工）を示す図
【図９ａ】基礎構築工程図
【図９ｂ】１Ｆ木造構築工程図
【図９ｃ】２Ｆ階木造構築工程図
【図９ｄ】９ｃ図におけるＲＣ部側から見た立面図
【図９ｅ】木造構築終了／ＲＣ部型枠構築  工程図
【図９ｆ】ＲＣ部  コンクリート打設・養生  工程図
【図９ｇ】ＲＣ部  型枠脱型  工程図
【図１０】階層別打設工法を示す図
【図１１】木造柱先行、ＲＣ基礎梁後行施工例を示す図
【図１２】木造とＲＣ造の接合部先行施工例を示す図
【図１３】ＲＣ柱を用いた混構造例を示す図
【図１４】ＲＣセンターコア方式  木造・ＲＣ造混構造建築物基準階構造プランを示す図
【図１５】下層ＲＣ造／木造・ＲＣコア造混構造建築物の例を示す図
【発明を実施するための形態】
【０００９】
本発明は、木造とＲＣ造（鉄筋コンクリート造）を複合した木造・ＲＣ造混構造建築物に適した構築法であり、この構築方法で構築された特有の構造を備えた木造・ＲＣ造混構造建築物である。
ＲＣ造は、鉄筋や型枠を構築して、コンクリートを打設し、養生する期間が必要である。一方、木造は一般に、プレカットして現場で組み立てる作業となるので、コンクリートの養生などの中断期間は不要であり、木造とＲＣ造の施工スピードは、同様にすすむことはない。特に、木造とＲＣを接続することが必要な建築物においては、接続部の施工において、コンクリート打設、養生期間が中断期間となり、施工期間が伸びることとなる。
さらに、ＲＣ造側から、木造側へ接続用アンカーを出す場合は、アンカーが固定されているため、木造側でアンカーの位置合わせを必要があって、調整が困難である。
【００１０】
本発明は、木造を先行して構築し、木造側にアンカーを設け、ＲＣ造のコンクリート打設空間内にこのアンカーを配置し、打設空間内にコンクリートを打設、養生して、ＲＣ造を後行施工するものである。この施工手順により、木造はＲＣの施工期間に関わらず構築を進めることができる。そして、木造側にアンカーを設けて、コンクリートが打設される前に打設空間内に配置すれば、アンカーの接続調整作業は不要になることに、着眼したものである。
すなわち、本発明は、木造構造部分とＲＣ構造部分を一体化した建築物の施工方法において、木造構築部分の躯体工事を先行して施工し、ＲＣ構造部分の躯体を後行して施工する構築方法であって、木造躯体とＲＣ躯体の接合部分において、木造躯体に設けたアンカーをコンクリート打設空間内に配置した後に、該コンクリート打設空間内にコンクリートを打設、硬化して、木造構造とＲＣ構造との混構造建築物を構築する木造・ＲＣ造混構造建築物の構築方法である。木造部分は、数日で組み立てることも可能であり、ＲＣ造に必要な、コンクリートの打設・養生とのアンバランスを解消することができる。
アンバランス解消により、施工期間の短縮の他、作業員の手配や拘束時間が少なくなる。
【００１１】
＜木造構造とＲＣ構造との混構造建築物について＞
図１、２、３、４は、木造構造とＲＣ構造との混構造建築物の基本構造例を示している。
木造構造とＲＣ構造との混構造建築物１００を図１に示す。
木造構造とＲＣ構造との混構造建築物１００は、凹型の木造部分１と凹みの部分に嵌り込むように構築されたＲＣ造部分５から構成されている。この例では、ＲＣ造部分５はコア６でもある。木造部分１の、床２と柱３は木製である。混構造建築物１００は、鉄筋コンクリート製の基礎７の上に構築される。
図２は、混構造建築物１００の平面プランの例である。
木造部分とＲＣ造のコアが側面中央部に存在するので、重心は建物中央付近にあるが、剛心はコアにあって、偏心している。ねじれが発生した場合、混構造建築物１００−１は、剛心を中心にねじれて、混構造建築物１００−２となる恐れがある。
図３は、木造構造とＲＣ構造との混構造建築物１００の床パネルの配置例を示している。ＲＣ構造であるコア６と木造部分が接合する部分であって、木造側は梁４と梁４５（あるいは壁）があって、床２が設けられている。
図４は、木造構造とＲＣ構造との混構造建築物１００の立面図を示している。４層の建築であって、ＲＣ構造であるコア６の左右に木造構造が配置されている。混構造建築物１００は、ＲＣ基礎７１の上に構築されている。木造構造は、柱３（先行柱３３）と梁４と床２を備えている。なお、仕上げ床として二重床構造として図示している。コア部分はＲＣ壁５２とＲＣ床５３を備えている。
この木造構造とＲＣ構造との混構造建築物１００の基本的な架構構成は、鉄筋コンクリート造のコア６とその周囲に配置される木造部分１の軸組、いわゆる平面混構造である。この平面混構造の構造では、コア部分と木造部分からなる周辺架構との水平剛性差で生じる偏心（重心と剛心のずれ）に伴う建物のねじれによるコア−周辺架構接合部への応力集中に対して次のように対処する。この建物は事務所ビルを想定して、図２に示すようにコアが片側（建物裏側）に寄せられ正面側に大スパンの執務スペースを配置しており、ねじれが生じやすい構造となる。床パネルの耐力に期待し、木造部分に生じる水平力をコアに伝達させ、木造架構の水平力負担を軽減している。また、木材は、コンクリートに比べて大変軽量であるので、すべてＲＣ造の場合に較べて基礎量を軽減でき、木造部分は耐震性が高く、コア部分に対する接合負担もそれほど大きくならない。
【００１２】
接合部分の主な例を図５、６、７に示している。  図５は、床ユニット部の木造とＲＣ造接合部構造の平面の例を示している。図６は、木造とＲＣ造接合部構造の立面の例を示している。図７は、木造部の柱梁造接合部構造の立面の例を示している。
図５は、床ユニット部の木造とＲＣ造接合部構造の平面の例が示されている。
床ユニットは、二本の木製の柱３、３とＲＣ躯体の一部であるＲＣ壁５２との間に一枚のＣＬＴ床版２１が配置されている。ＲＣ壁５２とＣＬＴ床版２１との間には接合部分８が形成される。この例では、ＣＬＴ床板２１の隅部と中央部には接合用のアンカー８１が設けられている。隅部のアンカー８１には、ＲＣ壁５２に伸びるＲＣ接合ボルト８３とＣＬＴ床版２１に伸びる木接合ボルト８４を備えた接合金物８２がある。中央部は、ＣＬＴ床版２１内に埋め込まれた床版中央接合具８５からＲＣ接合ボルト８３をＲＣ壁５２に進入させている。
なお、隣接するＣＬＴ床版を２１ａ、２１ｂで示している。
接合用のアンカーは、木造とＲＣ造を接合する機能を果たす手段である。具体的な、アンカー構造としては、木造部分とＲＣ部分を貫通するボルト、羽子板上の金物などの接合金物、ＲＣ側に設ける顎上の受部材、木造側から床材や梁材をＲＣ側へ延長するなどの手段を講ずることができる。
例えば、梁をＲＣ側へ延長した場合、できあがりはＲＣ壁の穴に梁が嵌入した状態、あるいは貫通した状態となる。壁内に侵入した梁の部位に飛び出した羽やボルトなどを取り付けると抜け防止機能が向上する。
【００１３】
図６は、木造とＲＣ造との接合部分８の立面の例を示している。この接合部は、ＣＬＴ床版の隅部断面である。
ＲＣ構造は、ＲＣ壁５２とＲＣ床５３で構成され、ＲＣ壁５２は、木造側である梁４を受ける梁受５６が凸状に設けられている。
木造側は、ＣＬＴ床版２１と梁４で構成されている。なお、二重の仕上げ床２３があって、ＣＬＴ床版の表裏は石膏ボードなどの耐火材９１で被覆されている。木製材には、必要に応じて耐火被覆など、耐火手段が講じられている。
接合部材であるアンカー８１は、ＣＬＴ床版２１に設けられた接合金物８２からＲＣ接合ボルト８３がＲＣ壁５２を貫通してＲＣ床５３まで伸びている。一方、接合金物８２からＣＬＴ床版の中央側には木接合ボルト８４が伸びている。
さらに、ＲＣ壁５２に設けられた凸部に形成された梁受５６には、梁４の端部が乗っている。
図示の例では、ＲＣ壁５２と木造部分が接合する例となっているので、ＲＣ接合ボルト８３が壁厚を突き抜けるので、ＣＬＴ床版とＲＣ床をアンカーで接合しているが、ＲＣ柱である場合は、梁４とＲＣ梁とを接合することが可能である。
また、接合部分８は、木造構造がＲＣ構造と直接接触する構造であり、これは、後述するように、木造構造を先行して完成させて、木造側に固設したアンカーを、型枠を介することなくＲＣへ延設した状態でコンクリートを打設することにより、実現している。
ＲＣ造の床厚は２０ｃｍ程度である。仮に、ＲＣ床側からアンカーを延ばす場合、許容誤差や施工誤差を勘案すると、かぶり厚なども考慮すると、床部で受けることができない。その場合は、木製梁側で受けることになるが、逆に水平レベルをあわせるには、ＲＣ床よりも下方にアンカーを設ける必要があり、そのための膨らみをＲＣ壁に設けてアンカー支持部とすることとなる。本発明では、木造側からアンカーを出すことによりこのような余分な構造をＲＣ造側に設ける必要はない。特に、厚みのあるＣＬＴを採用することにより、十分な定着強度を備えたアンカーを準備して、ＲＣ造側へ延ばすことができる。
したがって、接合部分では、木造側には型枠が介在されずに、直接ＲＣ造のコンクリートに接触することとなる。特に、木造側の床材にアンカーボルトが設けられた構成は、本発明の特異な構成とするところである。
アンカーを設ける木造の部材は、床版と梁材の他、ＲＣ構造と接する部材であって、接合強度を確保できる部材を利用することができる。すなわち、壁材、柱材、屋根材などを利用することができる。
さらに、本明細書で例示するＣＬＴなどの高強度の材料を残置型枠として使用した場合は、型枠を接合部材とし、コンクリート型枠に用いられるセパレータをアンカーに利用することもできる。  
【００１４】
図７は、木造部の柱梁造接合部構造の立面の例を示している。床ユニットの木造側の端の接合構造の例である。
本例では、上下の柱３、３は、柱同士が連結されている、ＣＬＴ床板は柱形に切りかかれている。柱３にも耐火材９１が被覆されている。
梁４端部には、木柱・梁接合金物８６が設けられて、柱３とボルト接合されている。梁端部にＴ形あるいはＬ形の金属板８６ａをドリフトピン８６ｃ等で固着し、フランジと木製柱３４とを接続ボルト８６ｂで接合している。
【００１５】
木造構造とＲＣ構造の混構造建築物として、主に図１に示すような、ＲＣ造部分を側面中央部にコアとして配置し、三方を木造部分が囲む構成の混構造建築物を中心に説明したが、本発明はこれに限るものではない。例えば、ＲＣ造部分をセンターコアとし周囲を木造部分とする構成、上層を木造とし下層をＲＣ造部分とする構成などである。また、ＲＣ基礎と木製柱とすることもできる。
【００１６】
＜木造部分先行施工、ＲＣ造部分後施工する施工方法について＞
図８は、木造部分を先行施工し、ＲＣ造部分を後施工する施工方法に関する概略を示している。
図８（ａ）は、ＲＣ基礎７１の上に木造部分を構築している工程を示している。
ＲＣ基礎７１の上に、木造部分を構成する先行柱３３を建て、先行床２２を３層まで張って、３層目の先行柱３３を建てている最中を示している。この状態では、仮設ブレースを入れている。
図８（ｂ）は、木造部分を構成する４層構成の先行木造躯体１４が完成した状態を示している。この状態で、ＲＣ造のコアが入るスペースは空いている。
ＲＣ造に面した木造の端部には、図５や図６で示した、接合用のアンカーが設けられている。
図８（ｃ）は、図８（ｂ）で空いていた空隙にＲＣ造のコア６が構築された状態を示している。ＲＣ造部分は、コンクリートを現場打設しており、打設空間内にアンカーがでるように型枠を組み立てている。
【００１７】
アンカーが木造側から、コンクリートを打設する前にセットされるので、アンカーは、その配置なりにコンクリートに固定されて定着する。接合に伴う木造部分とＲＣ部分との精度確保作業が不要になる。ＲＣ造にも木造にもそれぞれ、施工上の共用誤差があり、施工精度もあるので、その取り合いは難しくなるが、木造を先行して行うことにより、取り合いを気にすることなく、柔軟に対応することができるようになる。
木造側の型枠として、ＣＬＴを使用すると、面外剛性が高く、支保工も簡単で済む。また、ＲＣ接合面として開放されている木造部分を予め、ＣＬＴで架設支持することで、架設時の地震耐震壁とすることもでき、さらに、そのまま型枠とすることもでき、さらに、そのまま捨て型枠として使って、残置材にして壁材に用いることもできる。
残置型枠としてＣＬＴを利用した場合、仕上げを簡略化して、仕上げ代を小さくでき、居室内空間の設計自由度と空間の有効利用度が向上する。
【００１８】
図９に、施工工程を示す。
図９（ａ）は、ＲＣ製の基礎梁７２を備えて基礎７を形成する工程である。この基礎形成工程は、従来と同様である。
図９（ｂ）は、基礎７の上に木造部分の一層部分を構築する工程である。
基礎梁７２の上に柱３を建て、梁４を柱３に接合し、その上にＣＬＴ床版２１を張り付ける。ＣＬＴ床版２１には、アンカー８１が仕込まれている。この際、ＲＣ造側には、型枠材６３を建てて、仮設材として利用する。型枠材として、ＣＬＴ型枠材を用いことができる。本例では、ＣＬＴ床版の厚みは２１ｃｍ以上である。
なお、型枠はＣＬＴに限らないことは、いうまでもなく、一般的な面材と支保工材料を使用することができる。
図９（ｃ）は、木造躯体１１の一層部分の構築と同様に二層部分を構築する状態を示している。さらに、木造部分の上層を同様に組み立てる。
図９（ｄ）は、ＲＣ造側から２層目を中心にみた立面である。ＣＬＴ型枠材６４の間に２層目と３層目の床版と梁がＲＣ造側に露出している。このようになっているので、コンクリートを打設・養生した後のＲＣ壁と床版と梁が密着していることとなる。このような状態で、木造躯体１１の施工が終了する。
【００１９】
図９（ｅ）は、ＲＣ壁側の型枠材６３とＲＣ床用の型枠材６３を構築して、コンクリートを打設する打設空間６１を形成する工程である。アンカー８１は、ＲＣ床用の空間内まで延出している。この型枠材６３は、解体される。
図９（ｆ）は、打設空間６１にコンリート６２を打設して、養生している状態を示している、アンカー８１は、ＣＬＴ床版２１からＲＣ壁を通過してＲＣ床５３となる部分まで伸びて、コンクリート６２に埋設される。
図９（ｇ）は、ＲＣ造側の型枠材６３が脱型されて、ＲＣ壁５２とＲＣ床５３が構築されて、ＲＣ部分の施行が終了して、木造・ＲＣ造混構造建築物が構築される。
ＣＬＴ型枠材６４は脱型せずに、残置されて木造部分の壁４５として利用される。
この施工例では、複数の階層を一気に打設する例を示した。
【００２０】
（階層別に打設する例）
図１０に階層別に打設する例を示す。
図１０（ａ）は、図９（ａ）の一層目の施工工程に加えて、ＣＬＴ型枠材６４に対向する型枠材６３を仮設して、打設空間６１を形成して、その空間にコンクリート６２を打設して、木造・ＲＣ造混構造建築物の一層目を構築する。ここでは、２層目のＲＣ床５３も打設される。
図１０（ｂ）は、図１０（ａ）と同様にして２層目を構築して、コンクリートを打設する。このように一層毎に木造・ＲＣ造混構造建築物を構築して、上層まで構築して完成させる。
この例では、部分的に木造部分を先行施工し、ＲＣ部分を後施工して木造・ＲＣ造混構造建築物を構築する例である。
【００２１】
（木造柱先行施工、ＲＣ基礎後施工例）
図１１に、木造柱先行、ＲＣ基礎を後施工する施工例を示す。
図１１（ａ）は、木製の柱３の基端部にアンカー８１を取り付けた先行柱３３を示している。
図１１（ｂ）は、基盤７４に基礎打設の高さ分の柱接合空間７３をあけて先行柱３３を建てこむ状態を示している。先行柱３３に設けたアンカー８１の下部に基礎台７５を取り付けて、基盤７４に据えて、サポート９２を斜線に張って、立設する。この状態で、柱接合空間７３が設けられている。また、柱の下部には、基礎梁７２分の高さも確保されている。これによって、木造部分の施行が、ＲＣ基礎のコンクリート打設・養生には規制されずに進めることができる。
図１１（ｃ）は、柱接合空間７３に基礎鉄筋７６を組んでコンクリートを打設する工程である。
図１１（ｄ）は、基礎コンクリートが硬化し、ＲＣ基礎７１と基礎梁７２が形成され、一方先行柱３３の上方に梁４と床２を構築する工程を示している。木造部分は、さらに上層があれば、構築を進める。
【００２２】
（その他の施工例）
図１２には、木造とＲＣ造の接合部分が先行施工する例が示されている。
木造部分１の先行木造躯体１４とＲＣ構造部分５との接合部分８を構築して、残りの木造部分は後行木造躯体１５として、順次施工を進める例が示されている。この施工例は、図９に示す、木造部分を先行施工し、ＲＣ造部分を後施工する施工法を木造とＲＣ造の接合部分に適用し、他の部分は、順次進める施工方法である。
図１３には、図９におけるＲＣ造部分にＲＣ柱５４を加えた例である。ＲＣ柱５４を設けることにより、梁４にアンカー８１を設けて、柱と接合することができる。梁の高さがある分アンカーの本数を増やして、接合強度を高めることができる。
【００２３】
（その他の木造・ＲＣ造混構造建築物例）
木造・ＲＣ造混構造建築物はこれまで紹介した例に限定されるものでなく、各種自由に設計することができる。
例えば、図１４はセンターコアをＲＣ造にした例である。センターコアの両側に木造を配置している。また、図１５は、下層２層とコアをＲＣ造とし、３層と４層を木造とした例が示されている。
【符号の説明】
【００２４】
１．木造部分
１１．木造躯体
１４．先行木造躯体
１５．後行木造躯体
２．床
２１．ＣＬＴ床版
２２．先行床
２３．仕上げ床
３．柱
３２．基礎取付金物
３３．先行柱
３４．木製柱
４．梁
４１．先行梁
４５．梁（壁）
５．ＲＣ造部分
５１．ＲＣ躯体
５２．ＲＣ壁
５３．ＲＣ床
５４．ＲＣ柱
５６．梁受
６．コア
６１．打設空間
６２．コンクリート
６３．型枠材
６４．ＣＬＴ型枠材
７．基礎
７１．ＲＣ基礎
７２．基礎梁
７３．柱接合空間
７４．基盤
７５．基礎台
７６．基礎鉄筋
８．接合部分
８１．アンカー
８２．接合金物
８３．ＲＣ接合ボルト
８４．木接合ボルト
８５．床版中央接合具
８６．木柱・梁接合金物
８６ａ．金属板
８６ｂ．接続ボルト
８６ｃ．ドリフトピン
９１．耐火材
９２．サポート
１００．混構造建築物
【図１】
2019100057.tif 000003
【図２】
2019100057.tif 000004
【図３】
2019100057.tif 000005
【図４】
2019100057.tif 000006
【図５】
2019100057.tif 000007
【図６】
2019100057.tif 000008
【図７】
2019100057.tif 000009
【図８】
2019100057.tif 000010
【図９ａ】
2019100057.tif 000011
【図９ｂ】
2019100057.tif 000012
【図９ｃ】
2019100057.tif 000013
【図９ｄ】
2019100057.tif 000014
【図９ｅ】
2019100057.tif 000015
【図９ｆ】
2019100057.tif 000016
【図９ｇ】
2019100057.tif 000017
【図１０】
2019100057.tif 000018
【図１１】
2019100057.tif 000019
【図１２】
2019100057.tif 000020
【図１３】
2019100057.tif 000021
【図１４】
2019100057.tif 000022
【図１５】
2019100057.tif 000023